(57)【特許請求の範囲】
【請求項１】
カメラ本体のブレ量を検出し、該ブレ量に応じた検出信号を出力するブレ量検出手段を備えたブレ検出機能付きカメラにおいて、
前記検出信号に基づいて撮影像ブレを補正するブレ補正手段と、
シャッタの開閉動作を行なうシャッタ制御手段と、
第１の操作に応じて前記ブレ量検出手段を起動する第１の操作信号を発生し、前記第１の操作に引き続く第２の操作に応じて前記ブレ補正手段の補正動作を開始させる第２の操作信号を発生する操作手段と、
前記ブレ量検出手段の起動から前記検出信号が安定した出力となる第１の時間を計時する第１の計時手段と、
前記第１の時間の計時開始から計時終了以前に前記第２の操作信号が発生した場合、前記ブレ補正動作の開始を禁止し前記シャッタ制御手段の動作を行う制御手段と、を含むことを特徴とするブレ検出機能付きカメラ。
【請求項２】
カメラ本体のブレ量を検出し、該ブレ量に応じた検出信号を出力するブレ量検出手段を備えたブレ検出機能付きカメラにおいて、
前記検出信号に基づいて撮影像ブレを補正するブレ補正手段と、
シャッタの開閉動作を行なうシャッタ制御手段と、
第１の操作に応じて前記ブレ量検出手段を起動する第１の操作信号を発生し、
前記第１の操作に引き続く第２の操作に応じて前記ブレ補正手段の補正動作を開始させる第２の操作信号を発生する操作手段と、
前記ブレ量検出手段の起動から前記検出信号が安定した出力となる第１の時間を計時する第１の計時手段と、
前記第１の時間の計時開始から計時終了までに前記第２の操作信号が発生した場合は、前記ブレ補正手段の動作を禁止し、前記シャッタ開閉動作を行い、
前記第１の時間の経過後に前記第２の操作信号が発生した場合には、前記補正動作と前記シャッタ制御手段の動作とのいずれも行う制御手段と、を含むことを特徴とするブレ検出機能付きカメラ。
【請求項３】
カメラ本体のブレ量を検出し、該ブレ量に応じた検出信号を出力するブレ量検出手段を備えたブレ検出機能付きカメラにおいて、
前記検出信号に基づいて撮影像ブレを補正するブレ補正手段と、
シャッタの開閉動作を行なうシャッタ制御手段と、
第１の操作に応じて前記ブレ量検出手段を起動する第１の操作信号を発生し、
前記第１の操作に引き続く第２の操作に応じて前記ブレ補正手段の補正動作を開始させる第２の操作信号を発生する操作手段と、
前記ブレ量検出手段の起動から前記検出信号が安定した出力となる第１の時間を計時する第１の計時手段と、
前記第１の時間が経過した後に、第２の時間を計時する第２の計時手段と、
前記第１の時間の計時開始から計時終了までに前記第２の操作信号が発生した場合は、前記ブレ補正手段の動作を禁止し、前記シャッタ開閉動作を行い、前記第１の時間の経過後から前記第２の時間の終了までの時間に前記第２の操作信号が発生した場合には、前記補正動作と前記シャッタ制御手段の動作とのいずれも行い、前記第２の時間の計時中に前記第１の操作が中断しても前記ブレ量検出手段の動作を継続する制御手段と、
を含むことを特徴とするブレ検出機能付きカメラ。
【請求項４】
前記制御手段は、中央処理演算回路（ＣＰＵ）を含むことを特徴とする請求項１〜請求項３のいずれか１項に記載のブレ検出機能付きカメラ。
【請求項５】
前記第１の操作から前記第１の時間の計時が終了するまでの時間内に、第１の状態を表示せしめ、前記第１の時間の計時終了後は、前記第１の状態と異なる第２の状態を表示する表示手段をさらに含むことを特徴とする請求項１〜請求項４のいずれか１項に記載のブレ検出機能付きカメラ。
【請求項６】
前記第１の操作はレリーズ釦の半押し操作であり、前記第２の操作は、前記レリーズ釦の全押し操作であることを含むことを特徴とする請求項１〜請求項５のいずれか１項に記載のブレ検出機能付きカメラ。
【発明の詳細な説明】
【０００１】
【産業上の利用分野】
本発明は、ブレ検出機能付きカメラに関するものである。
【０００２】
【従来の技術】
従来、カメラ本体のブレ量を検出するためのブレ量検出手段は、レリーズ釦の半押し操作により起動されるが、その検出手段の機能上、所定の性能に達してカメラ本体のブレ量を検出するには、所定の時間が必要であった。
【０００３】
【発明が解決しようとする課題】
上記所定の時間に達すると同時に、ブレ量検出手段が所定の性能に達してカメラ本体のブレ量を検出するが、その検出の後に、レリーズ動作を行うため、ブレ量検出手段が所定の性能に達する前にシャッターチャンスを逃がしてしまい、そのために速写性が劣ってしまうという問題点があった。
【０００４】
さらに、ブレ量検出手段の検出信号が不安定な出力であった場合には、そのままブレ補正の動作を行って撮影動作を行うと、不安定な信号に基づいたブレ補正による悪影響の出た写真を撮ってしまうという問題点があった。
本発明は上述の問題点に鑑み、ブレ量検出手段が所定の性能に達する前でも、ブレ補正を行なわない撮影を可能としシャッタチャンスを逃すことなく、速写性に優れるようにするブレ検出機能付きカメラを提供することを目的とする。
【０００７】
【課題を解決するための手段】
上記目的の達成のために、本発明によるブレ検出機能付きカメラの第１の解決手段は、第１の操作により起動され、その起動から所定の時間に達すると、所定の性能に達してカメラ本体のブレ量を検出するブレ量検出手段を備え、ブレ量検出手段が所定の性能に達する前に、第２の操作を行うと、ブレ補正動作を行わず直ちにレリーズ動作が行われる如く構成した。
【００１１】
【作用】
上記解決手段においては、第１の操作例えばレリーズ釦の半押し操作により、ブレ量検出手段が起動され、その検出手段が所定の性能に達する前に、第２の操作例えばレリーズ釦の全押し操作により、ブレ補正動作を行わず直ちにレリーズ動作が行われるようにしたために、シャッタチャンスを逃がすことなく、速写性も優れることができる。
【００１４】
尚、本発明としては、第１の操作としてレリーズ釦の半押し操作に、さらに第２の操作としてレリーズ釦の全押し操作にそれぞれ限定することはない。
【００１５】
【実施例】
図１は、本発明の実施例に係るカメラの内部構造を示した概略構成図である。この図中の符号１は、ブレ量検出手段であり、不図示のレリーズ釦の半押し操作により、図中の半押しスイッチＳＷ１がオンして、ＣＰＵ２がブレ量検出手段を起動せしめ、所定の時間に達すると同時に、ブレ量検出手段１が所定の性能に達してカメラ本体のブレ量を検出する。
【００１６】
符号３は、表示部としてファインダー内の緑ランプが用いられ、ブレ量検出手段１の出力信号により、ＣＰＵ２が上述のランプ３を点滅または点灯せしめ、詳しくは、レリーズ釦の半押し操作により、ブレ量検出手段１の起動と共にＣＰＵ２が第１の状態としてランプ３を点滅し、所定の時間に達したら、ブレ量検出手段１がカメラ本体のブレ量を検出すると共に、ＣＰＵ２が第２の状態としてランプ３を点灯し、そのランプ３の点滅または点灯により、撮影者自身が写真撮影の適否を判断することができる。
【００１７】
尚、表示部３はファインダー内の緑ランプでなくても、例えばカメラ本体の背後面に設けられ且つファインダー窓の近くに位置するランプであっても良い。
符号４はブレ補正手段であり、レリーズ釦の全押し操作によりスイッチＳＷ２がオンして、ＣＰＵ２が、ブレ量検出手段１の検出（ブレ量）による補正を、ブレ補正手段４に指令し、その補正手段４が、撮影光学系Ｌ１の一部の駆動系５を駆動して、同光学系Ｌ１の一部を上下方向にシフト駆動せしめ、その駆動により、撮影光学系Ｌ１による像のブレの補正が行われる。この像ブレの補正動作に応じて露出制御手段１０にシャッタ制御のためのシャッタ制御信号を出力する。
【００１８】
符号６および７は公知の測距手段や測光手段であり、レリーズ釦の半押し操作によりＣＰＵ２が測距手段６や測光手段７を起動せしめ、その起動により、夫々の手段６、７が測距や測光を実行する。
符号８はフォーカシング制御手段８であり、測距手段６の出力（測距結果）信号に応じて、ＣＰＵ２が、フォーカシング制御手段８にオートフォーカス（自動合焦）を指令し、この指令によりフォーカシング制御手段８が合焦光学系Ｌ２の駆動系９を介して、同光学系Ｌ２を駆動せしめ、この駆動によりオートフォーカスが行われる。
【００１９】
符号１０は露出制御手段であり、測光手段７の出力（測光結果）信号に応じて、ＣＰＵ２が、絞り値に対応した絞りの制御を、露出制御手段１０に指令し、この指令により、露出制御手段１０が絞り部材１１を駆動制御して、露出の制御が行われる。
また、ブレ補正手段４からのシャッタ制御信号が入力されると、露出制御手段１０は、測光手段７の出力（測光結果）信号に応じて絞り値とシャッタ速度値をそれぞれ決定し、絞り値に対応した絞りの制御と、シャッタ速度値に対応したシャッタ制御とをそれぞれ行なう。シャッタ制御は、指定されたシャッタ速度になるようにシャッタ羽根の開閉動作の制御を行なう。
【００２０】
図２は、図１中のＣＰＵ２の作動順序を示す第１実施例のフローチャートであり、このフローチャートを参照して図１の構造の作動を説明する。
まず、カメラ本体の電源スイッチをオンにした状態において、レリーズ釦を半押しにすると、スイッチＳＷ１のオンにより、ＣＰＵ２が図２中のステップＳ１からステップＳ２に進んで、測距手段６や測光手段７を起動せしめ、この起動により、測距や測光が行われる。
【００２１】
次のステップＳ３に進んで、ＣＰＵ２がブレ量検出手段１を起動せしめ、ステップＳ４に進んで、所定のタイムまでにＣＰＵ２自身がタイムをカウントし、そのカウント中に、ステップＳ５に進んで、第１の状態としてランプ３を点滅せしめ、次のステップ６に進んで、レリーズ釦が全押しされたか否をチェックする。上述の半押し操作に続いて、レリーズ釦を全押しにすると、全押しスイッチＳＷ２のオンにより、ステップＳ６からステップＳ１５に進んで、ブレ補正の動作を行わないまま、前述の測光および測距の結果に基づき、ＣＰＵ２が、フォーカシング制御手段８や露出制御手段１０に作動を指令し、露出制御手段１０による絞り部材１１の露出制御によりレリーズ動作が開始される。
【００２２】
この動作により写真の撮影が行われ、この時は、ブレ補正手段４や駆動系５が作動しないために、その作動自体が写真の撮影に悪影響を与えてしまうことはない。
レリーズ動作が完了すると、ＣＰＵ２がステップＳ１６に進んで、ブレ量検出手段の作動を停止せしめ、ステップＳ１４に進んで、ＣＰＵ２の指令によりランプ３の点滅が停止されて消灯され、その後は、ＣＰＵ２が作動を終了する。
【００２３】
また、レリーズ釦を全押しにせず半押し操作が続いている時は、ＣＰＵ２がステップＳ６よりステップＳ７に進んで、前記カウントのタイムが所定のタイムに達したか否かを検知し、達してしない時は、ＣＰＵ２がステップＳ６、ステップＳ７のルートを繰り返して作動する。
さらに、所定の時間に達すると、ブレ量検出手段１が所定の性能に達してカメラ本体のブレ量を検出すると共に、ＣＰＵ２がステップＳ８に進んで、第２の状態としてランプ３を点灯せしめ、その点灯中に、ステップＳ９に進んで、上記検出のブレ量に基づき、ＣＰＵ２がブレ補正の駆動をブレ補正手段４に指令し、その補正手段４が、撮影光学系Ｌ１の一部の駆動系５を駆動して、同光学系Ｌ１の一部を上下方向にシフト駆動せしめ、その駆動により、撮影光学系Ｌ１による像のブレの補正が行われる。
【００２４】
この補正の間に、レリーズ釦の半押し操作が解除されると、ＣＰＵ２がステップＳ１０からステップＳ１３に進んで、ブレ量検出手段１やブレ補正手段４を作動停止せしめ、この停止によりブレ補正の駆動やブレ量の検出が停止される。次のステップ１４に進んで、ＣＰＵ２の指令により、ランプ３が消灯され、その後は、ＣＰＵ２が作動を終了する。
【００２５】
また、レリーズ釦の半押し操作が続いている時、全押し操作を行わない時は、ＣＰＵ２がステップＳ１０、ステップＳ１１のルートを繰り返して作動し、レリーズ釦を全押しにすると、ステップＳ１１からステップＳ１２に進んで、ＣＰＵ２が、前述の測光および測距の結果に基づき、フォーカシング制御手段８や露出制御手段１０に作動を指令し、露出制御手段１０による絞り部材１１の露出制御により、レリーズ動作が開始される。この動作により写真の撮影が行われ、その後は、ＣＰＵ２がステップＳ１３に進んで、前述と同様に、ブレ量検出手段１やブレ補正手段４の作動を停止せしめ、この停止によりブレ補正の駆動やブレ量の検出が停止される。次のステップ１４に進んで、ＣＰＵ２の指令により、ランプ３が消灯され、その後は、ＣＰＵ２が作動を終了する。
【００２６】
図３は、ＣＰＵ２の動作順序を示す第２実施例のフローチャートである。
この実施例も、前記第１実施例と同様に、まずカメラのレリーズ釦の半押し操作により半押しスイッチＳＷ１のオンに応答して、ＣＰＵ２が図２中のステップＳ２１からステップＳ２２に進んで、測距手段６や測光手段７を起動せしめ、この起動により測光や測距が行われる。
【００２７】
この間に、レリーズ釦を全押しにすると、全押しスイッチＳＷ２のオンにより、ＣＰＵ２が、図３中のステップＳ２２１からステップＳ２２２に進んで、測距手段６や測光手段７の出力信号に基づき、フォーカシング制御手段８や露出制御手段１０に作動を指令し、露出制御手段１０による絞り部材１１の露出制御により、レリーズ動作が開始される。この動作により写真の撮影が行われ、その後は、ＣＰＵ２が作動を終了する。
【００２８】
また、上述の全押し操作が行われない時は、ＣＰＵ２がステップＳ２２１よりステップＳ２３に進んで、ブレ量検出手段１を起動せしめ、次のステップＳ２４に進んで、ＣＰＵ２自身がタイムをカウントし、そのカウントと並行に、ステップＳ２５に進んで、ＣＰＵ２の指令により第１の状態としてランプ３を点滅せしめ、次のステップＳ２６に進んで、レリーズ釦が全押しされたか否をチェックする。
【００２９】
レリーズ釦を全押しにすると、全押しスイッチＳＷ２のオンにより、ステップＳ２６からステップＳ２６１に進んで、ＣＰＵ２が、ブレ量検出手段１の作動を停止せしめ、ステップ２６２に進んで、ＣＰＵ２が、前述の測光および測距の結果に基づき、フォーカシング制御手段８や露出制御手段１０に作動を指令し、露出制御手段１０による絞り部材１１の露出制御により、レリーズ動作が開始される。
【００３０】
この動作により写真の撮影が行われ、レリーズ動作が完了すると、ＣＰＵ２がステップＳ３４に進んで、ランプ３を消灯せしめ、その後は、ＣＰＵ２が作動を終了する。
前述のレリーズ釦を全押しにせず且つ前記カウントのタイムが所定のタイムに達していない時は、ＣＰＵ２がステップＳ２６、ステップＳ２７のルートを繰り返して作動し、前記カウントのタイムが所定のタイムに達したら、ブレ量検出手段１が所定の性能に達してカメラ本体のブレ量を検出すると共に、ＣＰＵ２がステップＳ２７よりステップＳ２８に進んで、第２の状態としてランプ３を点灯せしめ、次のステップＳ２９に進んで、前記検出のブレ量に基づき、ブレ補正手段４にブレ補正の駆動を指令し、その補正手段４が、撮影光学系Ｌ１の一部の駆動系５を駆動して、同光学系Ｌ１の一部を上下方向にシフト駆動せしめ、その駆動により、撮影光学系Ｌ１による像のブレの補正が行われる。
【００３１】
この補正の間に、レリーズ釦の半押し操作が解除されると、ＣＰＵ２がステップＳ３０からステップＳ３３に進んで、ブレ量検出手段１やブレ補正手段４を作動停止せしめ、この指令によりブレ補正の処理やブレ量の検出が停止される。次のステップ３４に進んで、ＣＰＵ２の指令により、ランプ３が消灯され、その後は、ＣＰＵ２が作動を終了する。
【００３２】
また、レリーズ釦の半押し操作が続いている時、全押し操作が行われない時は、ＣＰＵ２がステップＳ３０、ステップＳ３１のルートを繰り返して作動し、レリーズ釦を全押しにすると、ステップＳ３１からステップＳ３２に進んで、ＣＰＵ２が、前述の測光および測距の結果に基づき、フォーカシング制御手段８や露出制御手段１０に作動を指令し、露出制御手段１０による絞り部材１１の露出制御により、レリーズ動作が開始され、この動作により写真の撮影が行われる。その後は、ＣＰＵ２がステップＳ３３に進んで、ブレ量検出手段１やブレ補正手段４を作動停止せしめ、この指令によりブレ補正の処理やブレ量の検出が停止される。次のステップ３４に進んで、ＣＰＵ２の指令により、ランプ３が消灯され、その後は、ＣＰＵ２が作動を終了する。
【００３３】
以上の実施例によれば、レリーズ釦の半押し操作によりブレ量検出手段１が起動すると述べたが、例えば第１の操作として、カメラ本体の電源スイッチをオンの位置に移動させても良く、この操作により図１中のスイッチＳＷ１がオンして、ＣＰＵ２が図２中のステップＳ２以降または図３中のステップＳ２２以降と同様に作動し、図２中のステップＳ６もしくはステップＳ１１あるいは図３中のステップＳ２２１、ステップＳ２６もしくはステップＳ３１において、第２の操作としてレリーズ釦の全押し操作により、レリーズ動作を行うこともできる。
【００３４】
図４は、ＣＰＵ２の動作順序を示す第３実施例のフローチャートである。
この実施例も、前記第１および第２実施例と同様に、まずカメラ本体の電源スイッチをオンにした後、最初のレリーズ釦の半押し操作に伴い、半押しスイッチＳＷ１がオンするとＣＰＵ２が、図４中のステップＳ４１からステップＳ４２に進む。ステップＳ４２では、ＣＰＵ２が、測距手段６や測光手段７を起動させ、この起動により測光や測距が行なわれる。さらにフラグＦを０にリセットし、次のステップＳ４３に進む。ステップＳ４３では、ＣＰＵ２が、ブレ量検出手段１を起動させ、ステップＳ４４に進む。ステップＳ４４では、タイマＡのカウントをスタートし、そのカウント中に、ステップＳ４５に進む。ステップＳ４５では、ＣＰＵ２が、第１の状態としてランプ３を点滅させ、ステップＳ４５１に進む。ステップＳ４５１では、レリーズ釦が全押しされたか否かをチェックする。ここで、レリーズ釦を全押しにせず半押し操作が続いている時は、ステップＳ４５１からステップＳ４５２に進む。ステップＳ４５２では、ＣＰＵ２が、前記フラグＦを０から１にセットし、ステップＳ４６に進む。
【００３５】
また、ステップＳ４５１において、上述の半押し操作に続いてレリーズ釦を全押しにすると、全押しスイッチＳＷ２はオンになり、ステップＳ４５１からステップＳ４６に進む。ステップＳ４６では、ＣＰＵ２が、前記タイマＡのカウントのタイムが所定のタイムに達したか否かを検知し、達していない時には、ＣＰＵ２がステップＳ４６のループを繰り返して作動する。ここで、前記タイマＡのカウントが所定のタイムに達すると、カメラ本体のブレ量の検出値が正確になるので、ブレ量検出手段１は所定の性能に達し、ブレ補正可能な状態となる。そして、ＣＰＵ２はステップＳ４６１に進む。ステップＳ４６１では、前記タイマＡのカウントをストップした後、前記タイマＡのカウントをリセットし、ステップＳ４７に進む。ステップＳ４７では、ＣＰＵ２が、第２の状態としてランプ３を点灯させ、その点灯中に、ステップＳ４８１に進む。ステップＳ４８１では、前述のフラグＦが１であるか否かを検知し、フラグＦが１でない時には、ステップＳ４８４に進む。またステップＳ４８１において、前述のフラグＦが１である時には、ステップＳ４８２に進む。ステップＳ４８２では、半押しスイッチＳＷ１がオンするか否かを検知し、半押しスイッチＳＷ１がオンである時は、ステップＳ４８４に進む。またステップＳ４８２において、半押しスイッチＳＷ１がオフである時は、ステップＳ４８２１に進む。ステップＳ４８２１では、ＣＰＵ２が、タイマＢのカウントがスタートしているか否かを判断し、スタートしていない場合にはステップＳ４８２３に進む。ステップＳ４８２３ではタイマＢのカウントをスタートさせ、ステップＳ４８２４に進む。
【００３６】
前述のステップＳ４８２１において、タイマＢのカウントがスタートしている場合には、ＣＰＵ２は、ステップＳ４８２２に進む。ステップＳ４８２２において、ＣＰＵ２は、タイマＢが所定時間に達したか否かを判断し、所定時間に達している場合にはステップＳ５１１に進む。ステップＳ５１１では、ブレ量検出を停止させ、ステップＳ５２に進む。ステップＳ５２では、ＣＰＵ２の指令によりランプ３が消灯され、その後は、ＣＰＵ２が、作動を終了する。これにより、タイマＡのカウントが所定時間に達した後、撮影者がレリーズ釦の半押し操作（半押しスイッチＳＷ１がオン）を中止した場合、あるいはタイマＡのカウントが所定時間に達した後、半押し操作が継続され、かつ撮影者が全押し操作（全押しスイッチＳＷ２がオン）を行わない場合において、タイマＢのカウントが所定時間に達するまで、測光、測距、ブレ量検出の作動が継続して行なわれる。そして、タイマＢのカウントが所定時間に達すると、測光、測距およびブレ量検出を停止してＣＰＵ２の作動が停止する。
【００３７】
このようにタイマＢのカウントが所定時間に達するまでの時間内に全押し操作が行われない場合には、ＣＰＵ２が作動を停止するので、無駄な電力消費を防止することができる。
前述のステップＳ４８２２において、所定時間に達していない場合には、ステップＳ４８２４に進む。ステップＳ４８２４では、ＣＰＵ２が、前述の測距手段６や測光手段７を再び起動させ、この起動により測距や測光が行なわれ、前述のステップＳ４８２に進む。
【００３８】
ステップＳ４８４では、全押しスイッチＳＷ２がオンするか否かを検知し、全押しスイッチＳＷ２がオンである場合には、ステップＳ４８４１に進む。ステップＳ４８４１において、ＣＰＵ２は、タイマＢのカウントをストップさせ、タイマＢのカウントをリセットさせる。そして、ステップＳ４８４２に進む。ステップＳ４８４２では、ブレ補正駆動を開始し、ブレ補正手段４は、撮影光学系Ｌ１の一部の駆動系５を駆動して、同光学系Ｌ１の一部を上下方向にシフト駆動させる。このシフト駆動により、撮影光学系Ｌ１による像ブレの補正が行なわれ、ステップＳ４９に進む。
【００３９】
前述のステップＳ４８４において、全押しスイッチＳＷ２がオフである場合には、ステップＳ４８２１に進む。すなわち、ステップＳ４８２、ステップＳ４８２１〜ステップＳ４８２４、ステップＳ４８４のループによって、全押しスイッチＳＷ２がオンするまで測光、測距、ブレ検出の作動が継続して行なわれる。
ステップＳ４９では、前述の測距の結果に基づき、ＣＰＵ２が、フォーカシング制御手段８にオートフォーカス（自動焦点）の指令を出し、合焦光学系Ｌ２のフォーカシング制御によりオートフォーカスが行われ、ステップＳ５０に進む。ステップＳ５０では、ＣＰＵ２が、前述の測光の結果に基づき、露出制御手段１０に作動を指令し、露出制御手段１０による絞り部材１１の露出制御により、レリーズ動作が開始がされる。この動作により写真の撮影が行われ、その後は、ＣＰＵ２が、ステップＳ５１に進む。ステップＳ５１では、ＣＰＵ２が、ブレ補正手段４の作動を停止させ、この停止によってブレ補正の駆動が停止される。すなわちＣＰＵ２はブレ補正処理を停止させる。そして、ステップＳ５１１に進む。ステップＳ５１１では、ＣＰＵ２が、ブレ量検出手段１の作動を停止させ、この停止により、ブレ量の検出が停止される。そして、ステップＳ５２に進む。ステップＳ５２では、ＣＰＵ２の指令によりランプ３が消灯され、その後は、ＣＰＵ２が、作動を終了する。
【００４０】
このように第４実施例においては、最初の半押し操作に引き続いて全押し操作が行われても、必ずブレ量検出手段の性能が安定する時間（タイマＡのカウントによる所定時間）経過後、正確に検出されたブレ量に基づいてブレ補正処理を行なって撮影を行なうので、ブレの影響の少ない写真を撮影することが可能となる。
【００４１】
図５は、ＣＰＵ２の動作順序を示す第４実施例のフローチャートである。
この実施例も、前述の第３実施例と同様に、まずカメラ本体の電源スイッチをオンにした後、最初のレリーズ釦の半押し操作により、半押しスイッチＳＷ１のオンに応答して、ＣＰＵ２が、図５中のステップＳ６１からステップＳ６２に進む。ステップＳ６２では、ＣＰＵ２が、測距手段６や測光手段７を起動させ、この起動により測光や測距が行なわれ、ステップＳ６２１に進む。ステップＳ６２１では、全押しスイッチＳＷ２がオンされているか否かを検知し、全押しスイッチＳＷ２がオンされている時は、ステップＳ６２２に進む。ステップＳ６２２では、前述の測距の結果に基づき、ＣＰＵ２が、フォーカシング制御手段８にオートフォーカス（自動焦点）の指令を出し、合焦光学系Ｌ２のフォーカシング制御によりオートフォーカスが行われ、ステップＳ６２３に進む。ステップＳ６２３では、ＣＰＵ２が、前述の測光の結果に基づき、露出制御手段１０に作動を指令し、露出制御手段１０による絞り部材１１の露出制御により、レリーズ動作が開始がされる。この動作により写真の撮影が行われ、その後は、ＣＰＵ２が、作動を終了する。これにより、最初のレリーズ釦の半押し操作を継続し、直ちに全押し操作（全押しスイッチＳＷ２がオン）されると、ブレ補正処理を行うことなく、撮影を完了することができる。
【００４２】
前述のステップＳ６２１において、全押しスイッチＳＷ２がオフされている時は、ＣＰＵ２が、ステップＳ６３に進む。ステップＳ６３では、ＣＰＵ２が、ブレ量検出手段１を起動させ、ステップＳ６４に進む。ステップＳ６４では、タイマＡのカウントをスタートし、そのカウント中に、ステップＳ６５に進む。ステップＳ６５では、ＣＰＵ２が、第１の状態としてランプ３を点滅させ、ステップＳ６６に進む。ステップＳ６６では、ＣＰＵ２が、前記タイマＡのカウントのタイムが所定のタイムに達したか否かを検知し、達していない場合には、ＣＰＵ２がステップＳ６６のループを繰り返して作動する。ここで、前記タイマＡの所定のタイムは、ブレ量検出手段１が所定の性能に達するまでの時間、あるいはブレ量検出手段１が所定の性能に達するまでの時間に少し余裕を含めた時間を設定している。そして、前記タイマＡのカウントのタイムが所定のタイムに達すると、ブレ量検出手段１は所定の性能に達するので、カメラ本体のブレ量の検出値が正確になりブレ補正可能な状態となる。そして、ＣＰＵ２はステップＳ６６１に進む。ステップＳ６６１では、前記タイマＡのカウントをストップした後、前記タイマＡのカウントをリセットし、ステップＳ６７に進む。ステップＳ６７では、ＣＰＵ２が、第２の状態としてランプ３を点灯させ、その点灯中に、ステップＳ６８１に進む。ステップＳ６８１では、半押しスイッチＳＷ１がオンするか否かを検知し、半押しスイッチＳＷ１がオンである時は、ステップＳ６８３に進む。
【００４３】
またステップＳ６８１において、半押しスイッチＳＷ１がオフである場合には、ステップＳ６８１０に進む。ステップＳ６８１０では、タイマＣがカウントしている場合には、タイマＣのカウントをストップした後、タイマＣのカウントをリセットする。ここでタイマＣは、後述するステップＳ６８３３において設定されるタイムである。そして、ステップＳ６８１１に進む。ステップＳ６８１１では、ＣＰＵ２がタイマＢのカウントがスタートしているか否かを判断し、スタートしていない場合にはステップＳ６８１３に進む。ステップＳ６８１３ではタイマＢのカウントをスタートさせ、ステップＳ６８１４に進む。
【００４４】
前述のステップＳ６８１１において、タイマＢのカウントがスタートしている場合には、ＣＰＵ２は、ステップＳ６８１２に進む。ステップＳ６８１２において、ＣＰＵ２は、タイマＢが所定のタイムに達したか否かを判断し、所定のタイムに達している場合にはステップＳ７１１に進む。ここで、タイマＢの所定のタイムは、カメラの性能によって異なるが、公知のカメラの半押しタイマと同様なタイムに設定してもよい。たとえば、公知のカメラの半押しタイマは、レリーズ釦の半押し操作後レリーズ釦から撮影者の指を離してから８秒経過するとカメラの電源が自動的にオフするものなどが知られている。ただし、これに限るものではない。
【００４５】
そして、ステップＳ７１１では、ブレ量検出を停止させ、ステップＳ７２に進む。ステップＳ７２では、ＣＰＵ２の指令によりランプ３が消灯され、その後は、ＣＰＵ２が作動を終了する。これにより、前述の第３実施例と同様に、タイマＢのカウントが所定のタイムに達するまでの時間内に全押し操作が行われない場合には、ＣＰＵ２が作動を停止するので、無駄な電力消費を防止することができる。
【００４６】
また前述のステップＳ６８１２において、タイマＢが所定のタイムに達していない場合には、ステップＳ６８１４に進む。ステップＳ６８１４では、ＣＰＵ２が、前述の測距手段６や測光手段７を再び起動させ、これにより測距や測光が行われ、前述のステップＳ６８１に進む。ステップＳ６８１において、半押しスイッチＳＷ１がオフの場合はステッブＳ６８１、ステッブＳ６８１０〜ステッブＳ６８１４のループによって、タイマＢのカウントが所定のタイムに達して、ステップＳ７１１に進むまで、測光、測距、タイマＢのカウントの作動が継続して行なわれる。すなわちタイマＢが所定のタイムに達するまで半押し操作がなされるのを待機し、タイマＢが所定のタイムになるとＣＰＵ２が停止する。
【００４７】
前述のステップＳ６８１において、タイマＢが所定のタイムに達する前に半押しスイッチＳＷ１がオンになると、ステップＳ６８３に進む。ステップＳ６８３では、全押しスイッチＳＷ２がオンするか否かを検知し、全押しスイッチＳＷ２がオンである場合には、ステップＳ６８４０に進む。ステップＳ６８４０において、ＣＰＵ２は、タイマＢ及びタイマＣが両方ともカウントされている場合には、両方ともカウントをストップさせ、両方のカウントをリセットさせる。そして、ステップＳ６８４１に進む。また、両方ともカウントしていない場合には、そのままステップＳ６８４１に進む。ここで、タイマＢ及びタイマＣのいずれか一方がカウントされている場合には、カウントされている一方のカウントをストップさせ、さらにリセットさせてからステップＳ６８４１に進む。ステップＳ６８４１では、ブレ補正駆動を開始し、ブレ補正手段４は、撮影光学系Ｌ１の一部の駆動系５を駆動して、同光学系Ｌ１の一部を上下方向にシフト駆動させる。このシフト駆動により、撮影光学系Ｌ１による像ブレの補正が行なわれ、ステップＳ６９に進む。ステップＳ６９では、前述の測距の結果に基づき、ＣＰＵ２が、フォーカシング制御手段８にオートフォーカス（自動焦点）の指令を出し、合焦光学系Ｌ２のフォーカシング制御によりオートフォーカスが行われ、ステップＳ７０に進む。ステップＳ７０では、ＣＰＵ２が、前述の測光の結果に基づき、露出制御手段１０に作動を指令し、露出制御手段１０による絞り部材１１の露出制御により、レリーズ動作が開始がされる。この動作により写真の撮影が行われ、その後は、ＣＰＵ２が、ステップＳ７１に進む。ステップＳ７１では、ブレ補正手段４の作動を停止させ、この停止によってブレ補正の駆動が停止される。すなわちＣＰＵ２はブレ補正処理を停止させる。そして、ステップＳ７１１に進む。ステップＳ７１１では、ＣＰＵ２がブレ量検出手段１の作動を停止させ、この停止により、ブレ量の検出が停止される。そして、ステップＳ７２に進む。ステップＳ７２では、ＣＰＵ２の指令によりランプ３が消灯され、その後は、ＣＰＵ２が、作動を終了する。すなわち、タイマＢが所定のタイムに達する前に半押しスイッチＳＷ１及び全押しスイッチＳＷ２がオンになるとブレ補正駆動が行われ、写真の撮影が実行される。
【００４８】
また前述のステップＳ６８３において、全押しスイッチＳＷ２がオフである場合には、ステップＳ６８３０に進む。ステップＳ６８３０では、タイマＢがカウントしている場合には、タイマＢのカウントをストップした後、タイマＢのカウントをリセットする。そして、ステップＳ６８３１に進む。ステップＳ６８３１では、ＣＰＵ２がタイマＣのカウントがスタートしているか否かを判断し、スタートしていない場合にはステップＳ６８３３に進む。ステップＳ６８３３ではタイマＣのカウントをスタートさせ、ステップＳ６８３４に進む。ステップＳ６８３４では、ＣＰＵ２が、前述の測距手段６や測光手段７を再び起動させ、これにより測距や測光が行われ、ステップＳ６８１に進む。ステップＳ６８１以下の作動は、前述の通りであるので、説明を省略する。
【００４９】
前述のステップＳ６８３１において、タイマＣのカウントがスタートしている場合には、ＣＰＵ２は、ステップＳ６８３２に進む。ステップＳ６８３２において、ＣＰＵ２は、タイマＣが所定のタイムに達したか否かを判断し、所定のタイムに達している場合にはステップＳ７１１に進む。ここで、タイマＣの所定のタイムは、カメラの性能によって異なるが、予め設定されたタイムとし、少なくとも前述のタイマＢの所定のタイムよりも長く設定したほうが好ましい。この場合、撮影者はレリーズ釦の半押し操作を継続している。すなわち、撮影者は、撮影を実行する意志を示している。たとえば、タイマＣの所定のタイムを１秒とした場合、撮影者が２秒経過後に撮影を実行するためにレリーズ釦を押圧すると、全押しスイッチＳＷ２がオンにもかかわらす、ＣＰＵ２は既に停止しているので、撮影を実行することができない。すなわちタイマＣの所定のタイムが短いことによって撮影不可能という不都合が生じることになる。タイマＣの所定のタイムは、カメラの消費電力などを考慮して設定するほうが好ましい。たとえばタイマＣの所定のタイムを５分として、バッテリーの容量が消費しにくいカメラであれば、通常の撮影においては前述のような不都合が生じることはない。ただし、これに限るものではない。
【００５０】
そして、ステップＳ７１１では、ブレ量検出を停止させ、ステップＳ７２に進む。ステップＳ７２では、ＣＰＵ２の指令によりランプ３が消灯され、その後は、ＣＰＵ２が作動を終了する。すなわち、ここではタイマＣが所定のタイムに達するとＣＰＵ２が停止するので、半押し操作が継続している間、測光、測距、ブレ量検出を継続して実行するカメラと比較して、バッテリーの電力消費を防止できる。
【００５１】
また前述のステップＳ６８３２において、タイマＣが所定のタイムに達していない場合には、ステップＳ６８３４に進む。ステップＳ６８３４では、ＣＰＵ２が、前述の測距手段６や測光手段７を再び起動させ、この駆動により測距や測光が行われ、前述のステップＳ６８１に進む。ステップＳ６８１において、半押しスイッチＳＷ１がオフの場合は、ステップＳ６８１０に進む。ステップＳ６８１０では、タイマＣがカウントしているので、タイマＣのカウントをストップした後、タイマＣのカウントをリセットする。そして、ステップＳ６８１１に進む。そして、前述のように、ステッブＳ６８１、ステッブＳ６８１０〜ステッブＳ６８１４のループ及び前述のステッブＳ６８３、ステッブＳ６８３０〜ステッブＳ６８３４のループによってＣＰＵ２が作動する。
【００５２】
そして、半押しスイッチＳＷ１、全押しスイッチＳＷ２、各ループにおける条件によって異なるが、タイマＢあるいはタイマＣのうちで、早く所定のタイムに達したタイマでＣＰＵ２は停止する。
このように第５実施例において、最初の半押し操作を継続し、直ちに全押し操作が行わる場合には、ブレ補正処理を行うことなく、撮影を完了することができる。したがってシャッターチャンスを逃すことなく、速写性の優れたものとなる。
【００５３】
また、最初の半押し操作を継続し、直ちに全押し操作が行われない場合には、ブレ量検出手段の性能が安定する時間待機してから全押し操作が実行されると正確に検出されたブレ量に基づいてブレ補正処理を行なって撮影を行なうので、ブレの影響の少ない写真を撮影することが可能となる。
さらに、最初の半押し操作を継続し、ブレ量検出手段の性能が安定する時間待機してから全押し操作が実行されない場合、あるいは半押し操作が解除された場合には、タイマＢのカウントが所定時間に達するまでの時間内に全押し操作が行われない場合には、ＣＰＵ２が作動を停止するので、無駄な電力消費を防止することができる。
【００５４】
さらにまた、最初の半押し操作を継続し、ブレ量検出手段の性能が安定する時間待機してから、半押し操作、全押し操作、各ループの条件により異なるが、各ループで設定されたタイマのうち、先に所定のタイムに達したタイマにより、ＣＰＵ２が作動を停止するので、無駄な電力消費を防止することができる。
【００５５】
【発明の効果】
以上のように本発明の第１の発明によれば、ブレ量検出手段が所定の性能に達する前でも、レリーズが可能となるので、シャッターチャンスを逃がすことなく、速写性の優れたものとなることができる。
さらに、ブレ量検出手段が所定の性能に達する前に、撮影する際、前述の如くブレ補正の駆動が行われないために、撮影に悪影響を与えてしまうことはないという利点も得られる。
【００５６】
また、第２の発明によれば、ブレ量検出手段の検出信号が不安定な出力の撮影の場合には、ブレ補正を行わないので、撮影者は、この不安定な出力に基づいたブレ補正によって悪影響の及ぼす危険性のある写真を撮影することを防止することができる。
第３の発明によれば、撮影動作は必ず第１の時間の計時が終了した後に行なわれる。よって常に安定したブレ量検出出力に基づくブレ補正動作と共に撮影動作が行われるので、ブレの影響の少ない写真を撮影することができる。
【００５７】
第４の発明によれば、ブレ量検出手段の検出信号が安定しない時間内に撮影撮影操作が加わった場合であっても、少なくともブレ補正手段の補正動作を伴ったシャッタ制御手段の動作は禁止される。よって、逆効果を及ぼす危険性のある不安定な出力に基づいたブレ補正駆動は禁止され、撮影画像に悪影響を与える可能性を防止することができる。
【図面の簡単な説明】
【図１】本発明の実施例に係るカメラの内部構造を示した概略構成図である。
【図２】図１中のＣＰＵ２の動作順序を示す第１実施例のフローチャートである。
【図３】図１中のＣＰＵ２の動作順序を示す第２実施例のフローチャートである。
【図４】図１中のＣＰＵ２の動作順序を示す第３実施例のフローチャートである。
【図５】図１中のＣＰＵ２の動作順序を示す第４実施例のフローチャートである。
【図１】
0003707502.tif 000002
【図２】
0003707502.tif 000003
【図３】
0003707502.tif 000004
【図４】
0003707502.tif 000005
【図５】
0003707502.tif 000006